(57)【要約】【課題】排気浄化手段の再生時にトルクショックの発生を可能な限り防止する。【解決手段】機関の通常運転時に空気過剰率がリーンとなるように燃料を供給する燃料供給手段と、前記リーン運転時の排気中に含まれるＮＯｘを吸着保持する排気系に配置したＮＯｘトラップ触媒１２と、ＮＯｘトラップ触媒１２を再生するために空気過剰率をリッチ側の目標値に向けて制御する再生制御手段と、再生時に空気過剰率が前記目標値を維持するように前記燃料供給量をフィードバック制御する手段と、前記再生時に前記目標値と実際の空気過剰率との差が、所定値以内になるまでは前記フィードバック制御を制限する制限手段とを備える。【選択図】図１
2005048715.tif 000002
【特許請求の範囲】
【請求項１】
機関の通常運転時に、機関に空気過剰率がリーンとなるように燃料を供給する燃料供給手段と、
前記リーン運転時の排気中に含まれる排気組成物を浄化する排気系に配置した排気浄化手段と、
前記排気浄化手段の再生時期を判定する判定手段と、
前記排気浄化手段を再生するために空気過剰率をリッチ側の目標値に向けて制御する再生制御手段と、
再生時に空気過剰率が前記目標値を維持するように前記燃料供給量をフィードバック制御するフィードバック制御手段と、
前記再生時に前記目標値と実際の空気過剰率との差が、所定値以内になるまでは前記フィードバック制御を制限する制限手段と、
を備えたことを特徴とする内燃機関の排気浄化装置。
【請求項２】
前記フィードバック制御の制限手段は、フィードバック制御を禁止またはフィードバック制御ゲインを通常制御時よりも低下させる請求項１に記載の内燃機関の排気浄化装置。
【請求項３】
前記フィードバック制御の制限手段は、実際の空気過剰率がストイキになったときは前記フィードバック制御の制限を解除する請求項１または２に記載の内燃機関の排気浄化装置。
【請求項４】
前記排気浄化手段が、空気過剰率がリーンのときにＮＯｘを吸着し、ストイキよりもリッチのときに吸着したＮＯｘを脱離、還元するＮＯｘトラップ触媒である請求項１〜３のいずれか一つに記載の内燃機関の排気浄化装置。
【請求項５】
前記再生時期の判定手段は、前記ＮＯｘトラップ触媒に吸着されたＮＯｘ総量が所定値に達した判断したときに再生を実行させる請求項１〜４のいずれか一つに記載の内燃機関の排気浄化装置。
【請求項６】
前記再生制御手段は、機関吸気通路に設けた吸気絞弁を備え、前記再生時には吸気通路を絞って空気過剰率を目標値に制御する請求項１〜５のいずれか一つに記載の内燃機関の排気浄化装置。
【請求項７】
前記実際の空気過剰率を前記排気浄化手段の上流側の排気系に設置した排気センサの出力から算出する請求項１〜６のいずれか一つに記載の内燃機関の排気浄化装置。
【請求項８】
前記実際の空気過剰率を吸入空気量と燃料供給量とから推定する請求項１〜６のいずれか一つに記載の内燃機関の排気浄化装置。
【請求項９】
前記燃料供給手段は、機関燃焼室に直接的に燃料を噴射する燃料噴射弁である請求項１〜８のいずれか一つに記載の内燃機関の排気浄化装置。
【請求項１０】
前記排気浄化手段として、前記ＮＯｘトラップ触媒の上流に排気系にＨＣ吸着機能付き酸化触媒、同じく下流に排気微粒子捕捉フィルタを備えている請求項４〜９のいずれか一つに記載の内燃機関の排気浄化装置。
【発明の詳細な説明】
【技術分野】
【０００１】
本発明は内燃機関の排気浄化装置の改良に関する。
【背景技術】
【０００２】
内燃機関から排出されるＮＯｘを浄化するために、ＮＯｘトラップ触媒を排気系に備えるものが、特許文献１に開示されている。
【０００３】
ＮＯｘトラップ触媒は、空気過剰率のリーン状態では排気中に含まれるＮＯｘを吸着、保持し、リッチ状態になると、吸着していたＮＯｘを脱離、還元するものであり、基本的に、空気過剰率がリーン状態で運転される内燃機関に適用されている。ＮＯｘトラップ触媒に吸着、保持されるＮＯｘ量が所定の上限値に達すると、それ以上はＮＯｘを吸着、保持できず、このため、ＮＯｘの保持量を推定して、ＮＯｘトラップ触媒の再生を行っている。
【０００４】
ＮＯｘトラップ触媒の再生時には、空気過剰率をリッチ側の目標値となるように低下させるために、吸気絞り弁などによりエンジンに吸入される空気量を減らし、同時に燃料噴射量を増量し、空気過剰率を目標値に収束させるようにしている。
【特許文献１】特開平０８−２１８９２０号公報
【発明の開示】
【発明が解決しようとする課題】
【０００５】
しかし、ＮＯｘトラップ触媒の再生制御に移行後、直ちに燃料噴射量のフィードバック制御を開始すると、吸気絞り弁を絞っても、すぐには空気過剰率がリッチ状態の目標値になるわけではない。そして、この状態で燃料噴射量を増量したりすると、急激な出力変動によりトルクショックが発生する。
【０００６】
本発明はこのような問題を回避することを目的とするもので、排気浄化手段の再生時にトルクショックの発生を可能な限り防止する。
【課題を解決するための手段】
【０００７】
本発明の内燃機関の排気浄化装置は、機関の通常運転時に、機関に空気過剰率がリーンとなるように燃料を供給する燃料供給手段と、前記リーン運転時の排気中に含まれる排気組成物を浄化する排気系に配置した排気浄化手段と、前記排気浄化手段の再生時期を判定する判定手段と、前記排気浄化手段を再生するために空気過剰率をリッチ側の目標値に向けて制御する再生制御手段と、再生時に空気過剰率が前記目標値を維持するように前記燃料供給量をフィードバック制御するフィードバック制御手段と、前記再生時に前記目標値と実際の空気過剰率との差が、所定値以内になるまでは前記フィードバック制御を制限する制限手段とを備える。
【発明の効果】
【０００８】
本発明によれば、排気浄化手段の再生時に空気過剰率をリッチ側の目標値まで低下させるにあたり、燃料供給量をフィードバック制御することで、排気浄化手段の再生にとって必要なリッチ側の空気過剰率に正確に制御することが可能となり、かつこの再生動作への移行時には、目標値と実際の空気過剰率の差が所定値よりも小さくなってから、燃料供給量のフィードバック制御を開始するので、フィードバック制御への移行に伴い、燃料供給量が急激に増大され、トルクショックを生じるようなことが確実に回避できる。
【発明を実施するための最良の形態】
【０００９】
以下、本発明の実施形態について図面を参照しながら詳しく説明する。
【００１０】
図１は、過給機付きディーゼルエンジンに本発明を適用したシステム構成図である。
【００１１】
図において、１はエンジン本体であり、各気筒の燃焼室に燃料を直接的に噴射供給する燃料噴射弁３が配置され、燃料噴射弁３には、コモンレール２に蓄えられた高圧の燃料が供給される。コモンレール２には図示しない燃料ポンプにより燃料が圧送、蓄圧され、燃料噴射弁３の開弁に伴い高圧の燃料が燃焼室内に噴射供給される。燃料噴射弁３は、メイン噴射の前にパイロット噴射することもでき、あるいは、メイン噴射後の追加的に後噴射することもできる。コモンレール２の蓄圧値を変更することにより、燃料噴射圧力も可変的に制御できる。
【００１２】
エンジン本体１の吸気通路５には、エアフローメータ７の下流に位置して、ターボチャージャ（過給機）４のコンプレッサ４ａが配置され、排気通路６を流れる排気ガスにより駆動されるタービン４ｂによりコンプレッサ４ａを回転させ、吸気を加圧する。なお、過給機４は可変容量型のものを用いることで、低速域においてはタービン４ｂ側に設けた可変ノズルを絞ってタービン効率を高め、高速域においては、可変ノズルを開いてタービン容量を拡大することにより、広い運転領域で高い過給効果を得ることが可能となる。
【００１３】
前記吸気通路５には、コンプレッサ４ａの下流側に吸気絞り弁８が介装され、エンジン本体１に吸入される空気量を制御可能となっている。吸気絞り弁８は、例えばステップモータを用いて開度が自由に変更可能な電子制御式の絞り弁として構成される。
【００１４】
排気通路６には、エンジン本体１とタービン４ｂとの間から分岐して、前記吸気絞り弁８の下流の吸気通路５に接続する排気還流通路（ＥＧＲ通路）９が設けられ、この途中には、排気還流量を運転条件に応じて制御する排気還流制御弁（ＥＧＲ弁）１０が介装される。
【００１５】
ＥＧＲ弁１０は、ステップモータを用いた電子制御式のもので、その開度に応じて吸気側に還流される排気流量、すなわちエンジン本体１に吸入されるＥＧＲ量を制御する。
【００１６】
排気通路６には、ターボチャージャ４のタービン４ｂの下流に位置して、ＨＣ吸着機能付き酸化触媒１１、ＮＯｘトラップ触媒１２、排気微粒子フィルタ（ＤＰＦ）１３が順に設けられる。
【００１７】
ＨＣ吸着機能付き酸化触媒１１は低温時に吸着した排気中のＨＣを高温時に放出する特性をもち、活性状態ではＨＣとＣＯを酸化処理する。ＮＯｘトラップ触媒１２は、空気過剰率λが１以上、すなわち、リーン運転状態で排気中のＮＯｘを吸着し、空気過剰率がリッチ状態になるとＮＯｘを放出し、かつ活性状態にあれば、このＮＯｘを還元する機能を有する。排気微粒子フィルタ１３は、排気中の微粒子（ＰＭ）を捕集し、捕集したＰＭは排気温度を高温化する再生制御により燃焼処理する。
【００１８】
前記した燃料噴射弁３からの燃料噴射量、噴射時期を運転条件に応じて制御し、また、前記吸気絞り弁８及びＥＧＲ弁１０の開度を制御し、さらには、ＮＯｘトラップ触媒１２に吸着されたＮＯｘ総量が所定値に達したことを判断したら、空気過剰率をリッチにしてＮＯｘを脱離、還元する、すなわち再生制御を行い、排気微粒子フィルタ１３に捕集された微粒子が所定量だけ堆積したら、排気温度を高温化して微粒子を燃焼除去する再生制御を行うために、コントロールユニット２０が備えられる。
【００１９】
コントロールユニット２０は、ＣＰＵ及びその周辺装置からなるマイクロコンピュータにより構成され、このコントロールユニット２０には、運転状態などを検出する以下に述べる各種センサからの信号が入力し、これらに基づいて上記した制御を実行する。
【００２０】
吸入空気量は前記エアフローメータ７により検出され、また、エンジン回転速度Neを検出する回転速度センサ１４、アクセル開度APOを検出するアクセル開度センサ１５、冷却水温Twを検出する水温センサ１６、前記コモンレール２内の燃料圧力（燃料噴射圧）を検出する圧力センサ１７が設けられる。さらに、前記ＨＣ吸着機能付き酸化触媒１１、ＮＯｘトラップ触媒１２、排気微粒子フィルタ１３の各出口側の排気温度を検出する温度センサ２１、２２、２３が設けられ、また排気通路６のタービン４ｂよりも上流には、排気空燃比または酸素濃度を検出する排気センサ２４が設けられている。
【００２１】
ここで、コントロールユニット２０で実行される排気浄化制御の全体について、図２のフローチャートを参照して説明する。
【００２２】
ステップＳ１では、前記した各種センサ信号、例えばエンジン回転速度、アクセル開度などの運転状態を代表する信号を読み込む。
【００２３】
ステップＳ２では、ＮＯｘトラップ触媒１２にトラップされて堆積したＮＯｘ堆積量（吸着量）を計算する。ＮＯｘ堆積量の算出手法は各種知られており、例えば、エンジン回転数の積算値や車両の走行距離から推測する事ができる。積算値を用いる場合、ＮＯｘトラップ触媒１２の再生制御が完了した時点では、その積算値をリセットする。
【００２４】
ステップＳ３では、ＤＰＦ１３に捕集されて堆積しているＰＭ堆積量を計算する。ＰＭ堆積量の手法としては、ＤＰＦ１３のＰＭ堆積量が増えると、ＤＰＦ１３の入口側の排気圧力が上昇することから、入口側排気圧力と、現在のエンジン運転状態（エンジン回転速度、燃料噴射量）での基準排気圧力との比較により、ＰＭ堆積量を推定する。あるいは前回のＤＰＦ再生からのエンジン回転数積算値や走行距離と排気圧力の組み合わせによりＰＭ堆積量を推定することもできる。
【００２５】
ステップＳ４ではＤＰＦ再生モード中であることを示す、ｒｅｇ１フラグが立っているかどうかを判定する。ｒｅｇ１フラグ＝１の場合は、ステップＳ５に進んでＤＰＦ１３の再生制御を実行する。そうでない場合は、ステップＳ６に移行する。
【００２６】
ＤＰＦ１３の再生制御では、燃料のポスト噴射などにより排気温度を上昇させ、ＤＰＦ１３に捕集されているＰＭを燃焼処理する。ＤＰＦ１３の再生制御が終了したらｒｅｇ１フラグ＝０にする。
【００２７】
ステップＳ６では、ＮＯｘトラップ触媒１２の再生モード、すなわち、ＮＯｘトラップ触媒１２に吸着したＮＯｘ脱離浄化のためのリッチスパイクモード中（空気過剰率のリッチ化中）であることを示すｓｐフラグが立っているか否かを判定する。ｓｐフラグ＝１の場合は、ステップＳ７に進んで、リッチスパイク制御（ＮＯｘトラップ触媒再生制御）を実行する。そうでないときは、ステップＳ８に移行する。
【００２８】
ＮＯｘトラップ触媒再生制御は、図３によって後で説明する。
【００２９】
ステップＳ８では、ステップＳ３で計算したＤＰＦ１３のＰＭ堆積量が、所定量ＰＭ１に達して、ＤＰＦ１３が再生時期になったか否かを判定する。ＰＭ堆積量＞ＰＭ１で、ＤＰＦ１３の再生時期であると判定されたときには、ステップＳ９で再生中であることを示すｒｅｇ１フラグを立てる、すなわちｒｅｇ１フラグ＝１とする。そうでないときは、ステップＳ１０に移行する。
【００３０】
ステップＳ１０ではＮＯｘトラップ触媒１２のＮＯｘ堆積量が所定量ＮＯｘ１に達して、ＮＯｘトラップ触媒の再生時期になったか否かを判定する。ＮＯｘ堆積量＞ＮＯｘ１で、ＮＯｘトラップ触媒の再生時期であると判定された場合には、ステップＳ１１でＮＯｘトラップ触媒再生中であるｓｐフラグを立てる、すなわち、ｓｐフラグ＝１とする。
【００３１】
次に図３により、ＮＯｘトラップ触媒の再生モードの制御について説明する。
【００３２】
図２の処理において、ＮＯｘ堆積量が所定値ＮＯｘ１に達して、ｓｐフラグ＝１となると、図３のフローが実行される。
【００３３】
ステップＳ２１では、現在のエンジン回転速度、燃料噴射量、水温など運転状態を代表する信号を読み取り、これらに基づいて、ステップＳ２２で、ＮＯｘトラップ触媒再生のための空気過剰率の目標値を算出する。再生中の空気過剰率の目標値λｔは、例えば空気過剰率λｔ＝０．８に設定される。
【００３４】
ステップＳ２３で空気過剰率を目標値までリッチ側にするために吸気絞り弁８の開度を所定の開度まで減少する。空気過剰率は吸入空気量と燃料噴射量との比率である空燃比と、理論空燃比との対比であり、ストイキのときに１となり、それよりもリーン側では１以上、リッチ側では１以下となる。
【００３５】
ステップＳ２４で実際の空気過剰率λｒの検出または推定値を読み込む。実際の空気過剰率は、排気センサ２４の検出する酸素濃度に基づいて検出したり、エンジン吸入空気量と燃料噴射量とに基づいて計算により推定したりできる。
【００３６】
ステップＳ２５では、実際の空気過剰率λｒと、目標値λｔとの比較を行い、実際の空気過剰率と目標値との差であるλｒ−λｔが、所定値ｅ以下になるまで待つ。
【００３７】
吸気絞り弁８の開度を減少させても、直ぐには空気量が減少せず、目標とする空気過剰率になるまでに、ある時間遅れを生じる。実際の空気過剰率と目標値との差であるλｒ−λｔが、所定値ｅ以下になったことが判定されたら、ステップＳ２６に進んで、燃料噴射量のフィードバック制御を開始する。
【００３８】
再生時の空気過剰率はリッチ側の目標値に維持されるが、このとき、運転状態が過渡的に変化しない限り、基本的には燃料噴射量は、再生制御に移行する直前の燃料噴射量と変わらない。すなわち、エンジン回転速度、アクセル開度に基づいて演算された燃料噴射量を維持する。
【００３９】
しかし、ＮＯｘトラップ触媒１２での再生を効率的に行うためには、排気の空気過剰率を正確に目標値に制御する必要があり、吸気絞り弁８の開度を制御するのみでは、すばやい応答性でもって精度よく目標値に制御することは難しい。
【００４０】
そこで、実際の空気過剰率と目標値との偏差が所定値ｅ以内に達したならば、燃料噴射量を補正することで、空気過剰率が目標値となるようにする。前記偏差が所定値まで小さくなってからフィードバック制御を開始することで、仮に燃料の要求噴射量が増えたとしても、トルクショックがそれほど大きくなることはない。
【００４１】
燃料噴射量のフィードバック制御は、実際の空気過剰率を検出ないしは推定しながら行われる。
【００４２】
ステップＳ２７ではこの再生制御に入ってからの時間ｔが、所定の時間ｔｓｐｉｋｅを経過したかどうか判定する。ｔ＞ｔｓｐｉｋｅでない場合は、時間が経過するまで待つ。
【００４３】
所定の時間ｔｓｐｉｋｅは、ＮＯｘトラップ触媒の再生完了までに要する時間に相当する。
【００４４】
ｔ＞ｔｓｐｉｋｅの場合は、ステップＳ２８でリッチ運転を解除する。すなわち、吸気絞り弁８の開度を元の状態に戻し、燃料噴射量はエンジン回転速度とアクセル開度に基づいて、オープン制御し、所定のリーン運転を行う。
【００４５】
ステップＳ２９でｓｐフラグ＝０にして、処理を終了する。
【００４６】
次にＮＯｘトラップ触媒１２の再生動作を中心にして、全体的な作用を説明する。
【００４７】
エンジン本体１に供給される燃料は、運転状態に応じて、最適な燃料噴射量、噴射時期となるように調整され、かつ通常の運転時の空気過剰率はリーン状態となるように、吸気絞り弁８は大きな開度に維持される。
【００４８】
リーン運転中は、排気中に含まれる排気組成物の一部であるＮＯｘは、ＮＯｘトラップ触媒１２により吸着され、外部への放出が阻止される。ＮＯｘトラップ触媒１２は、空気過剰率がリーン状態では、ＮＯｘを還元処理することはできず、ＮＯｘはＮＯｘトラップ触媒１２に吸着、保持されている。
【００４９】
ＮＯｘの吸着、保持量、換言すると堆積量が所定の状態になったことがコントロールユニット２０で判断されると、ＮＯｘトラップ触媒１２の再生制御が行われる。
【００５０】
再生制御は、空気過剰率を所定の短時間だけリッチにすることで実行されるが、このため、目標とする空気過剰率（例えば空気過剰率λ＝０．８）となるように、吸気絞り弁８の開度を所定の開度減少させ、吸入空気量を絞る。なお、原則として燃料噴射量は、再生制御に入る前と変更せず、これによりエンジン本体１の発生トルクが変動するのを防ぐ。
【００５１】
しかし、吸気絞り弁８の開度を調整するだけだと、空気過剰率を正確に目標値に制御することは難しく、そこで、再生制御中は燃料噴射量をフィードバック制御し、空気過剰率が正しく目標値と一致させるようにする。これにより、ＮＯｘトラップ触媒１２での再生動作、すなわち、ＮＯｘの脱離、還元を効率よく行わせることができる。
【００５２】
この場合、再生動作に移行後は、吸気絞り弁８を所定開度だけ絞っても、空気過剰率はリーン状態から直ちにリッチ状態に切り換わるわけではなく、時間的に遅れが生じるので、実際の空気過剰率が目標値から大きくリーン側に離れている状態で、燃料噴射量のフィードバック制御を開始すると、空気過剰率の偏差分に対応して、燃料噴射量が大幅に増加されてしまい、トルクショックの発生が避けられなくなる。
【００５３】
しかし、本実施形態では、再生動作に移行してから、実際の空気過剰率と目標とする空気過剰率との偏差が、所定値になるまで、フィードバック制御は禁止されるので、リーン状態からリッチ状態にするためにいきなり燃料噴射量を急増するようなことがなく、トルクショックの発生が阻止できる。
【００５４】
再生制御の終了をコントロールユニット２０が判断すると、吸気絞り弁８の開度が元に戻され、燃料噴射量のフィードバック制御も停止され、空気過剰率としては所定のリーン状態を維持しつつ、運転状態に応じた燃料噴射量の制御が行われる。
【００５５】
なお、エンジン高負荷時などには、燃料噴射量が増量されるので、吸気絞り弁８は全開状態に維持されていても、空気過剰率はリッチ側になる。この場合には、ＮＯｘトラップ触媒１２では、ＮＯｘの堆積量のいかんにかかわらず、自動的に再生動作が行われることになる。ただし、この場合は、燃料噴射量のフィードバック制御が行われるわけではないので、上記したような問題が起こることはない。
【００５６】
以上のように、本実施形態によれば、排気浄化手段としての、ＮＯｘトラップ触媒１２の再生時に、空気過剰率がリッチ側の目標値を維持するように燃料供給量をフィードバック制御する一方で、フィードバック制御を開始するにあたっては、前記目標値と実際の空気過剰率との差が、所定値以内になるまでは前記フィードバック制御を制限、例えば禁止するので、ＮＯｘトラップ触媒１２の再生にとって必要な空気過剰率に正確に制御することが可能となり、効率よく精度の高い再生が行え、かつこの再生動作への移行時に、燃料供給量が急激に増大され、トルクショックを生じるようなことが確実に回避できる。
【００５７】
また、空気過剰率を目標値まで低下させるにあたり、まず、吸気絞り弁８の開度を減少させ、その後、空気過剰率が目標値に対して所定の範囲内に入ってから燃料噴射量のフィードバック制御を行うので、エンジンの出力特性を再生制御の前後で実質的に変動させることなく、運転者に違和感をもたらすことなく、再生制御に移行できる。
【００５８】
実際の空気過剰率を排気系に設置した排気センサ２４の出力から算出することで、正確に空気過剰率を検出できる。
【００５９】
また、空気過剰率を吸入空気量と燃料供給量とから推定するようにすると、既存のセンサを利用しての制御が可能となる。
【００６０】
また、上記において、ＮＯｘトラップ触媒１２の再生制御に移行するときには、実際の空気過剰率が目標値に対して所定の範囲内に入ってから、燃料噴射量のフィードバック制御を開始したが、このフィードバック制御の制限については、通常のフィードバック制御時の制御ゲインよりも応答性の低いゲインに設定し、急激な燃料噴射量の増量を抑制することで、代替えできる。すなわち、吸気絞り弁８を絞ると共に、応答性の低いゲインでフィードバック制御を開始し、実際の空気過剰率が目標値に対して所定の範囲に入ったら、通常のゲインに切り換えて、フィードバック制御を行うのである。
【００６１】
また、空気過剰率がストイキよりもリッチ側に入ると、それよりもリッチ側に更に燃料を増量しても、エンジン発生トルクは、それほど大きく変化しない。そこで、実際の空気過剰率がリーンからストイキに達したことを判定したら、目標値との偏差が所定値に達していなくても、燃料噴射量のフィードバック制御を開始するようにしてもよい。
【００６２】
この場合には、空気過剰率がそれだけ早く目標値に達するので、再生制御の開始が早められる。
【００６３】
本発明は上記した実施形態に示されたものに限定されるわけではなく、本発明の技術的思想の範囲内で当業者がなしうるさまざまな改良、変更が含まれることは言うまでもない。
【産業上の利用可能性】
【００６４】
以上のように、本発明の排気浄化装置は、自動車用等の内燃機関に適用することができる。
【図面の簡単な説明】
【００６５】
【図１】本発明の実施形態を示すシステム構成図である。
【図２】コントロールユニットで実行される制御動作を示すフローチャートである。
【図３】同じくＮＯｘトラップ触媒の再生動作を示すフローチャートである。
【符号の説明】
【００６６】
１  エンジン本体
３  燃料噴射弁
４  ターボチャージャ
５  吸気通路
６  排気通路
８  吸気絞り弁
９  排気還流通路（ＥＧＲ通路）
１０  排気還流制御弁（ＥＧＲ弁）
１１  ＨＣ吸着機能付き酸化触媒
１２  ＮＯｘトラップ触媒
１３  排気微粒子フィルタ
１４  エンジン回転速度センサ
１５  アクセル開度センサ
１６  水温センサ
２０  コントロールユニット
２４  排気センサ
【図１】
2005048715.tif 000003
【図２】
2005048715.tif 000004
【図３】
2005048715.tif 000005